【事件の表示】
　特許第３４７２５７４号「遊技機およびその制御方法」の請求項１ないし３０に係る特許に対する特許異議の申立てについて、次のとおり決定する。
【結　論】
　特許第３４７２５７４号の請求項１ないし３０に係る特許を維持する。
【理　由】
１．本件発明
　特許第３４７２５７４号の請求項１ないし３０に係る発明（平成１４年５月２日に特許出願、平成１５年９月１２日に設定登録）は、特許明細書及び図面の記載から見てその特許請求の範囲の請求項１ないし３０に記載された次の事項により特定されるものである。
【請求項１】　共通図柄と特別図柄とを含む図柄を可変表示可能な複数の表示列を備え、前記各表示列を横切る入賞ライン上の各位置に予め定められた各図柄が停止すると役に入賞し、入賞した役に応じた遊技価値を付与し、前記役は前記共通図柄のみから構成される共通役と、前記共通図柄および前記特別図柄から構成される特別役とを含むスロットマシンであって、
　前記各表示列に対応して各々設けられ、前記プレイヤーが前記表示列の可変表示の停止を指示するための各停止操作部と、
　複数の役、またはハズレの中から一つを決定する決定部と、
　前記決定部によって前記共通役に当選していると決定された場合、前記プレイヤーが前記各停止操作部を操作すると、最初から最後までの各停止操作において、所定の範囲に位置する前記共通図柄を前記入賞ライン上に停止させるように前記表示列を制御し、前記決定部によって前記特別役に当選していると決定された場合、前記プレイヤーが前記各停止操作部を操作すると、前記各停止操作部の操作順序を検知し、検知した操作順序が最初から最後の直前までの各停止操作において、所定の範囲に位置する前記共通図柄を前記入賞ライン上に停止させるように前記表示列を制御するとともに、検知した操作順序が最後の停止操作において、所定の範囲に位置する前記特別図柄を前記入賞ライン上に停止させるように前記表示列を制御する制御部と
　を備えたことを特徴とするスロットマシン。
【請求項２】　前記制御部は、前記決定部によって前記共通役に当選していると決定された場合、最後の停止操作において前記特別図柄を前記入賞ライン上に停止させないように前記表示列を制御し、前記決定部によって前記特別役に当選していると決定された場合、最後の停止操作において前記共通図柄を前記入賞ライン上に停止させないように前記表示列を制御することを特徴とする請求項１に記載のスロットマシン。
【請求項３】　共通図柄と特別図柄とを含む図柄を可変表示可能な複数の表示列を備え、前記各表示列を横切る入賞ライン上の各位置に予め定められた各図柄が停止すると役に入賞し、入賞した役に応じた遊技価値を付与し、前記役は前記共通図柄のみから構成される共通役と、前記共通図柄および前記特別図柄から構成される特別役とを含むスロットマシンであって、
　前記各表示列に対応して各々設けられ、前記プレイヤーが前記表示列の可変表示の停止を指示するための各停止操作部と、
　前記特別図柄が共通する特別役の集まりである特別役グループ、前記特別役以外の他の各役、またはハズレの中から一つを決定する決定部と、
　前記決定部によって前記共通役に当選していると決定された場合、前記プレイヤーが前記各停止操作部を操作すると、最初から最後までの各停止操作において、所定の範囲に位置する前記共通図柄を前記入賞ライン上に停止させるように前記表示列を制御し、前記決定部によって前記特別役グループに当選していると決定された場合、前記プレイヤーが前記各停止操作部を操作すると、前記各停止操作部の操作順序を検知し、検知した操作順序が最初から最後の直前までの各停止操作において、所定の範囲に位置する前記共通図柄を前記入賞ライン上に停止させるように前記表示列を制御するとともに、検知した操作順序が最後の停止操作において、所定の範囲に位置する前記特別図柄を前記入賞ライン上に停止させるように前記表示列を制御する制御部とを備えたこと
　を特徴とするスロットマシン。
【請求項４】　前記制御部は、前記決定部によって前記共通役に当選していると決定された場合、最後の停止操作において前記特別図柄を前記入賞ライン上に停止させないように前記表示列を制御し、前記決定部によって前記特別役グループに当選していると決定された場合、最後の停止操作において前記共通図柄を前記入賞ライン上に停止させないように前記表示列を制御することを特徴とする請求項３に記載のスロットマシン。
【請求項５】　共通図柄と複数種類の特別図柄とを含む図柄を可変表示可能な複数の表示列を備え、前記各表示列を横切る入賞ライン上の各位置に予め定められた各図柄が停止すると役に入賞し、入賞した役に応じた遊技価値を付与し、入賞した役に応じた遊技価値を付与し、前記役は前記共通図柄と前記特別図柄とから構成される複数の特別役を含むスロットマシンであって、
　前記各表示列に対応して各々設けられ、前記プレイヤーが前記表示列の可変表示の停止を指示するための各停止操作部と、
　複数の役、およびハズレの中から一つを決定する決定部と、
　前記決定部によって一の特別役に当選していると決定された場合、前記プレイヤーが前記各停止操作部を操作すると、前記各停止操作部の操作順序を検知し、検知した操作順序が最初から最後の直前までの停止操作において、所定の範囲に位置する前記共通図柄を前記入賞ライン上に停止させるように前記表示列を制御するとともに、検知した操作順序が最後の停止操作において、前記一の特別役を構成する特別図柄が所定の範囲にあれば、当該特別図柄を前記入賞ライン上に停止させるように前記表示列を制御する制御部と
　を備えたことを特徴とするスロットマシン。
【請求項６】　前記制御部は、前記決定部によって前記一の特別役に当選していると決定された場合、最後の停止操作において前記一の特別役を構成する特別図柄以外の特別図柄を前記入賞ライン上に停止させないように前記表示列を制御することを特徴とする請求項５に記載のスロットマシン。
【請求項７】　共通図柄と複数種類の特別図柄とを含む図柄を可変表示可能な複数の表示列を備え、前記各表示列を横切る入賞ライン上の各位置に予め定められた各図柄が停止すると役に入賞し、入賞した役に応じた遊技価値を付与し、前記役は前記共通図柄と前記特別図柄とから構成される複数の特別役を含むスロットマシンであって、
　前記各表示列に対応して各々設けられ、前記プレイヤーが前記表示列の可変表示の停止を指示するための各停止操作部と、
　前記特別図柄が共通する特別役の集まりである各特別役グループ、前記特別役以外の他の各役、およびハズレの中から一つを決定する決定部と、
　前記決定部によって一の特別役グループに当選していると決定された場合、前記プレイヤーが前記各停止操作部を操作すると、前記各停止操作部の操作順序を検知し、検知した操作順序が最初から最後の直前までの停止操作において、所定の範囲に位置する前記共通図柄を前記入賞ライン上に停止させるように前記表示列を制御するとともに、検知した操作順序が最後の停止操作において、前記一の特別役グループを構成する特別図柄が所定の範囲にあれば、当該特別図柄を前記入賞ライン上に停止させるように前記表示列を制御する制御部と
　を備えたことを特徴とするスロットマシン。
【請求項８】　前記制御部は、前記決定部によって前記特別役グループに当選していると決定された場合、最後の停止操作において前記一の特別役グループを構成する特別図柄以外の特別図柄を前記入賞ライン上に停止させないように前記表示列を制御することを特徴とする請求項７に記載のスロットマシン。
【請求項９】　前記特別役は、役を構成する前記特別図柄の種類によって付与する遊技価値が相違すること特徴とする請求項１乃至８のうちいずれか１項に記載のスロットマシン。
【請求項１０】　前記特別役グループを構成する各特別役は、同一の遊技価値を付与し、かつ、前記特別役グループ間で異なる遊技価値を付与すること特徴とする請求項３、４、７、または８のうちいずれか１項に記載のスロットマシン。
【請求項１１】　前記決定部は、
　前記プレイヤーが前記開始操作部を操作するタイミングに基づいて、一または複数の役の集まりである複数の賞群もしくはハズレのいずれに該当するかを抽選によって定める第１抽選部と、
　前記賞群は複数の特別役が属する特別賞を含み、前記特別賞の賞群は前記特別図柄が共通する特別役の集まりである特別役グループを複数含み、
　前記第１抽選部の抽選結果が前記特別賞を指示する場合、どの特別役グループに属するかを抽選する第２抽選部とを備え、
　前記制御部は、最後の停止操作において、前記第２抽選部によって抽選された特別役グループに対応する特別図柄が所定の範囲内にあれば、当該特別図柄を前記入賞ライン上に停止させるように前記表示列を制御すること
　を特徴とする請求項３、４、７、８、または１０のうちいずれか１項に記載のスロットマシン。
【請求項１２】　前記決定部は、前記プレイヤーが前記開始操作部を操作するタイミングに基づいて、一または複数の役の集まりである複数の賞群もしくはハズレのいずれに該当するかを抽選によって定め、前記賞群は複数の特別役が属する特別賞を含み、
　前記制御部は、前記決定部によって前記特別賞に当選していると決定された場合、前記各停止操作部の操作順序を検知し、操作順序と前記特別役の種別との関係を予め定めた規則と検知された操作順序とに従って、前記特別賞に属する複数の特別役の中から一つの特別役を決定し、最後の停止操作において、決定された特別役に対応する特別図柄が所定の範囲内にあれば、当該特別図柄を前記入賞ライン上に停止させるように前記表示列を制御すること
　を特徴とする請求項１、２、５、または６に記載のスロットマシン。
【請求項１３】　前記役は、同一種類の図柄によって構成される一般役を含むことを特徴とする請求項１乃至１２のうちいずれか１項に記載したスロットマシン。
【請求項１４】　前記決定部は、前記プレイヤーが前記開始操作部を操作するタイミングに基づいて、一または複数の役の集まりである複数の賞群もしくはハズレのいずれに該当するかを抽選によって定め、複数の賞群の一部または全部は、前記特別役と前記一般役とを含み、抽選によって前記一般役と前記特別役とを含む賞群に当選した場合には、前記一般役か前記特別役かを決定する
　ことを特徴とする請求項１３に記載のスロットマシン。
【請求項１５】　前記入賞ラインは複数あり、
　前記プレイヤーがベット操作を行うベット操作部と、
　前記ベット操作に応じて数の入賞ラインを有効化する有効化部とを備え、
　前記制御部は、前記有効化部によって有効化された入賞ライン上に前記特別図柄を停止させるように制御すること
　を特徴とする請求項１乃至１４のうちいずれか１項に記載のスロットマシン。
【請求項１６】　各図柄に対応する図柄番号と前記停止操作部が操作されてから前記図柄を進ませる数であるズレコマ数とを対応付けて記憶するテーブルを前記各表示列毎に複数備え、
　前記制御部は、前記停止操作部の操作タイミングにおいて基準位置に位置する図柄の前記図柄番号を検知し、検知された図柄番号に基づいて、前記複数のテーブルから選択したテーブルを参照し、前記表示列の可変表示を停止させる
　ことを特徴とする請求項１乃至１５のうちいずれか１項に記載のスロットマシン。
【請求項１７】　前記共通図柄として、模様が同一であり、色彩が相違する複数種類の図柄があることを特徴とする請求項１乃至１６のうちいずれか１項に記載のスロットマシン。
【請求項１８】　前記制御部は、前記各停止操作部が操作されたタイミングにおいて前記各表示列が表示している図柄を進ませて、前記各表示列に表示される図柄を停止させることができ、
　前記制御部が前記表示列の図柄を進ませる最大の数を最大ズレコマ数としたとき、前記各表示列の一部または全部に、同一種類の前記特別図柄を前記最大ズレコマ数内に配置したことを特徴とする請求項１乃至１７のうちいずれか１項に記載のスロットマシン。
【請求項１９】　前記制御部は、前記各停止操作部が操作されたタイミングにおいて前記各表示列が表示している図柄を進ませて、前記各表示列に表示される図柄を停止させることができ、
　前記制御部が前記表示列の図柄を進ませる最大の数を最大ズレコマ数としたとき、前記各表示列の一部または全部に、同一種類の前記特別図柄を前記最大ズレコマ数外に配置したことを特徴とする請求項１乃至１７のうちいずれか１項に記載のスロットマシン。
【請求項２０】　前記制御部は、前記各停止操作部が操作されたタイミングにおいて前記各表示列が表示している図柄を進ませて、前記各表示列に表示される図柄を停止させることができ、
　前記制御部が前記表示列の図柄を進ませる最大の数を最大ズレコマ数としたとき、同一種類の前記特別図柄を前記最大ズレコマ数内に配置した前記表示列と、同一種類の前記特別図柄を前記最大ズレコマ数外に配置した前記表示列とを備えたことを特徴とする請求項１乃至１７のうちいずれか１項に記載のスロットマシン。
【請求項２１】　前記制御部は、前記各停止操作部が操作されたタイミングにおいて前記各表示列が表示している図柄を進ませて、前記各表示列に表示される図柄を停止させることができ、
　前記制御部が前記表示列の図柄を進ませる最大の数を最大ズレコマ数としたとき、前記各表示列の一部または全部に、前記共通図柄を前記最大ズレコマ数内に配置したことを特徴とする請求項１乃至２０のうちいずれか１項に記載のスロットマシン。
【請求項２２】　最初から最後の直前までの停止操作において、前記共通図柄が前記入賞ライン上に停止したことを検知して、前記特別役に入賞する可能性があることを報知する報知部を備えたことを特徴とする請求項１乃至２１のうちいずれか１項に記載のスロットマシン。
【請求項２３】　前記報知部は、前記決定部によって前記特別役に当選していると決定された場合にのみ報知を行うことを特徴とする請求項２２に記載のスロットマシン。
【請求項２４】　前記決定部によって前記特別役に当選していると決定された場合に、当選している特別役の種類を報知する報知部を備えたことを特徴とする請求項１乃至２３のうちいずれか１項に記載のスロットマシン。
【請求項２５】　前記決定部によって前記特別役に当選していると決定された場合に、当選していない特別役の種類を報知する報知部を備えたことを特徴とする請求項１乃至２４のうちいずれか１項に記載のスロットマシン。
【請求項２６】　前記報知部は所定の確率で報知を行うことを特徴とする請求項２２乃至２５のうちいずれか１項に記載のスロットマシン。
【請求項２７】　共通図柄と特別図柄とを含む図柄を可変表示可能な複数のリールと、前記各リールを回転駆動させる各モータと、前記各リールに対応して各々設けられ、前記プレイヤーが前記リールの可変表示の停止を指示するための各停止操作部と、前記各停止操作部の操作順序を検知する検知部と、複数の役、またはハズレの中から一つを決定する決定部とを備え、前記各リールを横切る入賞ライン上の各位置に予め定められた各図柄が停止すると役に入賞し、入賞した役に応じた遊技価値を付与し、前記役は前記共通図柄のみから構成される共通役と、前記共通図柄および前記特別図柄から構成される特別役とを含むスロットマシンのリール停止制御方法であって、
　前記決定部によって複数の役、またはハズレの中から一つを決定するステップと、
　前記共通役に当選していると決定された場合、前記プレイヤーが前記各停止操作部を操作すると、最初から最後までの各停止操作において、所定の範囲に位置する前記共通図柄を前記入賞ライン上に停止させるように前記モータを制御するステップと、
　前記特別役に当選していると決定された場合、前記プレイヤーが前記各停止操作部を操作すると、前記検知部によって前記各停止操作部の操作順序を検知し、検知した操作順序が最初から最後の直前までの各停止操作において、所定の範囲に位置する前記共通図柄を前記入賞ライン上に停止させるように前記モータを制御するとともに、検知した操作順序が最後の停止操作において、所定の範囲に位置する前記特別図柄を前記入賞ライン上に停止させるように前記モータを制御するステップと
　を備えたことを特徴とするスロットマシンのリール停止制御方法。
【請求項２８】　共通図柄と特別図柄とを含む図柄を可変表示可能な複数のリールと、前記各リールを回転駆動させる各モータと、前記各リールに対応して各々設けられ、前記プレイヤーが前記リールの可変表示の停止を指示するための各停止操作部と、前記各停止操作部の操作順序を検知する検知部と、前記特別図柄が共通する特別役の集まりである特別役グループ、前記特別役以外の他の各役、またはハズレの中から一つを決定する決定部とを備え、前記各リールを横切る入賞ライン上の各位置に予め定められた各図柄が停止すると役に入賞し、入賞した役に応じた遊技価値を付与し、前記役は前記共通図柄のみから構成される共通役と、前記共通図柄および前記特別図柄から構成される特別役とを含むスロットマシンのリール停止制御方法であって、
　前記決定部によって前記特別図柄が共通する特別役の集まりである特別役グループ、前記特別役以外の他の各役、またはハズレの中から一つを決定するステップと、
　前記共通役に当選していると決定された場合、前記プレイヤーが前記各停止操作部を操作すると、最初から最後までの各停止操作において、所定の範囲に位置する前記共通図柄を前記入賞ライン上に停止させるように前記モータを制御するステップと、
　前記特別役グループに当選していると決定された場合、前記プレイヤーが前記各停止操作部を操作すると、前記検知部によって前記各停止操作部の操作順序を検知し、検知した操作順序が最初から最後の直前までの各停止操作において、所定の範囲に位置する前記共通図柄を前記入賞ライン上に停止させるように前記モータを制御するとともに、検知した操作順序が最後の停止操作において、所定の範囲に位置する前記特別図柄を前記入賞ライン上に停止させるように前記モータを制御するステップと
　を備えたことを特徴とするスロットマシンのリール停止制御方法。 
【請求項２９】　共通図柄と複数種類の特別図柄とを含む図柄を可変表示可能な複数のリールと、前記各リールを回転駆動させる各モータと、前記各リールに対応して各々設けられ、前記プレイヤーが前記リールの可変表示の停止を指示するための各停止操作部と、前記各停止操作部の操作順序を検知する検知部と、複数の役、およびハズレの中から一つを決定する決定部とを備え、前記各リールを横切る入賞ライン上の各位置に予め定められた各図柄が停止すると役に入賞し、入賞した役に応じた遊技価値を付与し、前記役は前記共通図柄と前記特別図柄とから構成される複数の特別役を含むスロットマシンのリール制御方法であって、
　前記決定部によって複数の役、およびハズレの中から一つを決定するステップと、
　一の特別役に当選していると決定された場合、前記プレイヤーが前記各停止操作部を操作すると、前記検知部によって前記各停止操作部の操作順序を検知し、検知した操作順序が最初から最後の直前までの停止操作において、所定の範囲に位置する前記共通図柄を前記入賞ライン上に停止させるように前記モータを制御するとともに、検知した操作順序が最後の停止操作において、前記一の特別役を構成する特別図柄が所定の範囲にあれば、当該特別図柄を前記入賞ライン上に停止させるように前記モータを制御するステップと
　を備えたことを特徴とするスロットマシンのリール停止制御方法。
【請求項３０】　共通図柄と複数種類の特別図柄とを含む図柄を可変表示可能な複数のリールと、前記各リールを回転駆動させる各モータと、前記各リールに対応して各々設けられ、前記プレイヤーが前記リールの可変表示の停止を指示するための各停止操作部と、前記各停止操作部の操作順序を検知する検知部と、前記特別図柄が共通する特別役の集まりである各特別役グループ、前記特別役以外の他の各役、およびハズレの中から一つを決定する決定部とを備え、前記各リールを横切る入賞ライン上の各位置に予め定められた各図柄が停止すると役に入賞し、入賞した役に応じた遊技価値を付与し、前記役は前記共通図柄と前記特別図柄とから構成される複数の特別役を含むスロットマシンのリール停止制御方法であって、
　前記決定部によって前記特別図柄が共通する特別役の集まりである各特別役グループ、前記特別役以外の他の各役、およびハズレの中から一つを決定するステップと、
　一の特別役グループに当選していると決定された場合、前記プレイヤーが前記各停止操作部を操作すると、前記検知部によって前記各停止操作部の操作順序を検知し、検知した操作順序が最初から最後の直前までの停止操作において、所定の範囲に位置する前記共通図柄を前記入賞ライン上に停止させるように前記モータを制御するとともに、検知した操作順序が最後の停止操作において、前記一の特別役グループを構成する特別図柄が所定の範囲にあれば、当該特別図柄を前記入賞ライン上に停止させるように前記モータを制御するステップと
　を備えたことを特徴とするスロットマシンのリール停止制御方法。
　
２．特許異議申立の理由の概要
　本件の請求項１ないし３０に係る発明は、下記の甲第１号証に記載された発明、あるいは、下記の甲第１ないし３号証に記載された発明に基づいて当業者が容易に発明をすることができたものであるから、本件の請求項１ないし３０に係る発明の特許は、特許法第２９の規定に違反してされたものであり、特許法第１１３条第２号の規定により取り消されるべきである。
　　　　　　　　　　　　　　　記
　甲第１号証：「パチスロ攻略の帝王　１２月号」（株式会社宝島社、平成　　　　　　　１３年１２月２９日発行）２〜７頁
　甲第２号証：「必勝パチスロ虎の巻　２００１−１２月号」（式会社マガ　　　　　　　ジン・マガジン、平成１３年１２月１日発行）４〜５頁
　甲第３号証：特開平８−２４７３７号公報
　
３．甲号各証に記載された発明
（１）甲第１号証（パチスロ攻略の帝王　１２月号）には、機種名が「コンチ４Ｘ」であるパチスロ機（スロットマシン）に関し、次の事項が記載されている。
（１-a）２頁左上部には、見出しが「役の構成」の表に、「１５＋BIG　BONUS」として、「赤７赤７赤７」（赤７の３つ揃い）及び「緑７緑７緑７」（緑７の３つ揃い）が記載されており、また、「１５＋REG　BONUS」として、「赤７赤７緑７」、「赤７緑７赤７」、「緑７緑７赤７」、「赤７緑７緑７」、「緑７赤７緑７」及び「緑７赤７赤７」が記されている。
（１-b）３頁左上部には、「コンチ４Ｘ」の写真があり、その写真には、表示列を構成する、３列のリールと、遊技者がリールを停止させるために操作する、停止ボタンが示されている。
（１-c）６頁２段目には、「１２択のＲＥＧを揃えるまでの流れ」として、
　見出しが「狙う組み合わせは６通り」の箇所には、「赤７赤７緑７」、「赤７緑７赤７」、「緑７緑７赤７」、「赤７緑７緑７」、「緑７赤７緑７」及び「緑７赤７赤７」の図柄が記載され、その下には、「以上の６通りだが、押し順が加わり１２通りになるゾ！」と記載されている。
（１-d）６頁２段目における、小見出しが「第１リール停止時」の箇所には、「左（赤）→右→中」と決めた場合として、「左リールに慎重に赤７を狙う」と記載され、左リールの上段と下段に、「赤７」が停止している図が示されている。
（１-e）６頁２段目における、小見出しが「第２リール停止時」の箇所には、「右リールに狙いやすい色の７を慎重に狙う」と記載され、右リールの下段に、「赤７」が停止している図が示されている。
（１-f）６頁２段目における、小見出しが「第３リール停止時」の箇所には、「左中、中右が同色の場合にはかならず違う色を狙うこと！」と記載され、中リールの中段に、「緑７」が停止している図が示されている。
（１-g）６頁上から３段目には、「ナビ発生時のＲＥＧは確実に！」の中見出しの下、小見出しが「第１リール停止時」の箇所には、右リールの中段に、「赤７」が停止している図が示されており、小見出しが「第２リール停止時」の箇所には、左リールの中段に、「緑７」が停止している図が示されており、小見出しが「第３リール停止時」の箇所には、中リールの中段に、「緑７」が停止している図が示されている。
　そして、スロットマシンは、「BIG　BONUS」、「REG　BONUS」等の複数の役、またはハズレの中から一つを決定する決定部と、決定部によって「BIG　BONUS」、「REG　BONUS」等の役に当選していると決定された場合、プレイヤーが停止ボタンを操作すると、「BIG　BONUS」、「REG　BONUS」等の当選している役の図柄が所定の範囲に位置する場合には、その当選している役の図柄を入賞ライン上に停止させるように表示列を制御する制御装置を備えていることは明らかである。
　そうすると、甲第１号証には、
　図柄を可変表示可能な複数の表示列を備え、前記各表示列を横切る入賞ライン上の各位置に、「BIG　BONUS」、「REG　BONUS」等の役の図柄が停止すると役の入賞とし、「BIG　BONUS」、「REG　BONUS」等の役の入賞に応じた遊技価値を付与するスロットマシンであって、
　前記各表示列に対応して各々設けられ、プレイヤーが前記表示列の可変表示を停止操作するための停止ボタンと、「BIG　BONUS」、「REG　BONUS」等の役、またはハズレの中から一つを決定する決定部と、前記決定部によって「BIG　BONUS」、「REG　BONUS」等の役に当選していると決定された場合、前記プレイヤーが前記各停止ボタンを操作すると、所定の範囲に位置する前記「BIG　BONUS」、「REG　BONUS」等の役の図柄を前記入賞ライン上に停止させるように前記表示列を制御する制御部とを備えたスロットマシンが記載されていると認められる。
（２）甲第２号証（必勝パチスロ虎の巻2001−12月号）の４頁の「ゴルゴ１３　役の構成」の表には、１２枚払い出し役として左中右の順に「ビッグ図柄（赤７，青７又は黄ゴルゴ）、白図柄、白図柄」、「白図柄、ビッグ図柄、白図柄」、「白図柄、白図柄、ビッグ図柄」が図示されている。
（３）甲第３号証（特開平８−２４７３７号公報）には、「乱数を発生する少なくとも一個の乱数発生部と、前記乱数発生部から第１回目に取り出した乱数とグループ選択の可否との関係を表し、第１回目の判定に用いられる第１の判定データと、第２回目に検出した乱数とグループ内の役との関係を表し、第２回目の判定に用いられる第２の判定データとを記録したメモリと、
前記第１回目の判定結果がグループ選択可のときに、第２回目の判定を行ってグループ内の役を決定し、このグループ内の役に応じたシンボル配列を完成させるように各リールの停止位置を制御する制御手段とを設けたことを特徴とするスロットマシン。」（特許請求の範囲【請求項１】）と記載されている。
　
４．対比・判断
（１）請求項１に係る発明について
　請求項１に係る発明と甲第１号証に記載された発明を対比すると、
　甲第１号証に記載された発明は、請求項１に係る発明における「決定部によって前記特別役に当選していると決定された場合、前記プレイヤーが前記各停止操作部を操作すると、前記各停止操作部の操作順序を検知し、検知した操作順序が最初から最後の直前までの各停止操作において、所定の範囲に位置する前記共通図柄を前記入賞ライン上に停止させるように前記表示列を制御するとともに、検知した操作順序が最後の停止操作において、所定の範囲に位置する前記特別図柄を前記入賞ライン上に停止させるように前記表示列を制御する制御部」の構成（以下、「構成Ａ」という。）を備えていない。
　すなわち、甲第１号証には、ビッグボーナス（「BIG　BONUS」）の入賞図柄として、赤の「７７７」（赤７の３つ揃い）及び緑の「７７７」（緑７の３つ揃い）があり、レギュラーボーナス（「REG　BONUS」）の入賞図柄として、「赤７赤７緑７」、「赤７緑７赤７」、「緑７緑７赤７」、「赤７緑７緑７」、「緑７赤７緑７」及び「緑７赤７赤７」があることが記載されており、また、６頁２段目には、１番目に停止操作した左リールが「赤７」で停止し、２番目に停止操作した右リールが「赤７」で停止し、３番目に停止操作した中リールが「緑７」で停止する、リールの停止の仕方が記載されている。
　この記載からのみでは、左リールと右リールにそれぞれ「赤７」が停止した状態では、ビッグボーナス役、又は、レギュラーボーナス役に入賞する可能性があるから、「赤７」が、請求項１に係る発明における「共通図柄」ということができ、また、中リールに「緑７」が停止したことによってレギュラーボーナス役の入賞に決定されることになるから、「緑７」が請求項１に係る発明における「特別図柄」ということができる。
　しかしながら、６頁３段目には、１番目に停止操作した右リールが「赤７」で停止し、２番目に停止操作した左リールが「緑７」で停止し、１番目と２番目のリールが停止した時点で、レギュラーボーナス役に入賞する可能性しかないことが記載されており、前記したリールの停止の仕方（６頁２段目に記載されている）は、偶然生じたものであるから、甲第１号証に、プレイヤーが停止操作部（停止ボタン）を操作する操作順序を検知し、１番目に停止操作したリールと、２番目に停止操作したリールに「共通図柄」を停止入賞ライン上に停止させるように表示列を制御する制御部が記載されていると認めることはできない。
　したがって、甲第１号証に記載された発明は上記構成Ａを備えておらず、請求項１に係る発明が、甲第１号証に記載された発明であるとはいうことはできない。
　また、上記構成Ａは甲第２及び３号証には記載されておらず、請求項１に係る発明は特許明細書記載の効果を奏するので、請求項１に係る発明が、甲第１ないし３号証に記載された発明に基づいて当業者が容易に発明をすることができたものとすることはできない。
　
（２）請求項２に係る発明について
　請求項２に係る発明は、請求項１に係る発明を引用していて、請求項１に係る発明を更に限定しているから、上記「（１）請求項１に係る発明について」に記載した理由により、請求項２に係る発明が、甲第１号証に記載された発明である、あるいは、甲第１ないし３号証に記載された発明に基づいて当業者が容易に発明をすることができたものとすることはできない。
　
（３）請求項３に係る発明について
　請求項３に係る発明と甲第１号証に記載された発明を対比すると、
　甲第１号証に記載された発明は、請求項３に係る発明における「決定部によって前記特別役グループに当選していると決定された場合、前記プレイヤーが前記各停止操作部を操作すると、前記各停止操作部の操作順序を検知し、検知した操作順序が最初から最後の直前までの各停止操作において、所定の範囲に位置する前記共通図柄を前記入賞ライン上に停止させるように前記表示列を制御するとともに、検知した操作順序が最後の停止操作において、所定の範囲に位置する前記特別図柄を前記入賞ライン上に停止させるように前記表示列を制御する制御部」の構成を備えていない。
　そして、前記構成は甲第２及び３号証には記載されておらず、請求項３に係る発明は特許明細書記載の効果を奏するので、請求項３に係る発明が、甲第１号証に記載された発明であるとはいえず、また、甲第１ないし３号証に記載された発明に基づいて当業者が容易に発明をすることができたものとすることはできない。
　
（４）請求項４に係る発明について
　請求項４に係る発明は、請求項３に係る発明を引用していて、請求項３に係る発明を更に限定しているから、上記「（３）請求項３に係る発明について」に記載した理由により、請求項４に係る発明が、甲第１号証に記載された発明であるとすることはできないし、また、甲第１ないし３号証に記載された発明に基づいて当業者が容易に発明をすることができたものともすることはできない。
　
（５）請求項５に係る発明について
　請求項５に係る発明と甲第１号証に記載された発明を対比すると、
　甲第１号証に記載された発明は、請求項５に係る発明における「決定部によって一の特別役に当選していると決定された場合、前記プレイヤーが前記各停止操作部を操作すると、前記各停止操作部の操作順序を検知し、検知した操作順序が最初から最後の直前までの停止操作において、所定の範囲に位置する前記共通図柄を前記入賞ライン上に停止させるように前記表示列を制御するとともに、検知した操作順序が最後の停止操作において、前記一の特別役を構成する特別図柄が所定の範囲にあれば、当該特別図柄を前記入賞ライン上に停止させるように前記表示列を制御する制御部」の構成を備えていない。
　そして、前記構成は甲第２及び３号証には記載されておらず、請求項５に係る発明は特許明細書記載の効果を奏するので、請求項５に係る発明が、甲第１号証に記載された発明であるとはいえず、また、甲第１ないし３号証に記載された発明に基づいて当業者が容易に発明をすることができたものとすることはできない。
　
（６）請求項６に係る発明について
　請求項６に係る発明は、請求項５に係る発明を引用していて、請求項５に係る発明を更に限定しているから、上記「（５）請求項５に係る発明について」に記載した理由により、請求項６に係る発明が、甲第１号証に記載された発明であるとすることはできないし、また、甲第１ないし３号証に記載された発明に基づいて当業者が容易に発明をすることができたものともすることはできない。
　
（７）請求項７に係る発明について
　請求項７に係る発明と甲第１号証に記載された発明を対比すると、
　甲第１号証に記載された発明は、請求項７に係る発明における「決定部によって一の特別役グループに当選していると決定された場合、前記プレイヤーが前記各停止操作部を操作すると、前記各停止操作部の操作順序を検知し、検知した操作順序が最初から最後の直前までの停止操作において、所定の範囲に位置する前記共通図柄を前記入賞ライン上に停止させるように前記表示列を制御するとともに、検知した操作順序が最後の停止操作において、前記一の特別役グループを構成する特別図柄が所定の範囲にあれば、当該特別図柄を前記入賞ライン上に停止させるように前記表示列を制御する制御部」の構成を備えていない。
　そして、前記構成は甲第２及び３号証には記載されておらず、請求項７に係る発明は特許明細書記載の効果を奏するので、請求項７に係る発明が、甲第１号証に記載された発明であるとすることはできないし、また、甲第１ないし３号証に記載された発明に基づいて当業者が容易に発明をすることができたものともすることはできない。
　
（８）請求項８ないし２６に係る発明について
　請求項８ないし２６に係る発明は、従属請求項であって、独立請求項である、請求項１、３、５、又は、７に係る発明のすべてをその構成要件の一部として含むものであるから、上記「（１）請求項１に係る発明について」、「（３）請求項３に係る発明について」、「（５）請求項５に係る発明について」、「（７）請求項７に係る発明について」に記載した理由により、請求項８ないし２６に係る発明が、甲第１号証に記載された発明であるとすることはできないし、また、甲第１ないし３号証に記載された発明に基づいて当業者が容易に発明をすることができたものともすることはできない。
　
（９）請求項２７に係る発明について
　請求項２７に係る発明と甲第１号証に記載された発明を対比すると、
　甲第１号証に記載された発明は、請求項２７に係る発明における「特別役に当選していると決定された場合、前記プレイヤーが前記各停止操作部を操作すると、前記検知部によって前記各停止操作部の操作順序を検知し、検知した操作順序が最初から最後の直前までの各停止操作において、所定の範囲に位置する前記共通図柄を前記入賞ライン上に停止させるように前記モータを制御するとともに、検知した操作順序が最後の停止操作において、所定の範囲に位置する前記特別図柄を前記入賞ライン上に停止させるように前記モータを制御するステップ」の構成を備えていない。
　そして、前記構成は甲第２及び３号証には記載されておらず、請求項２７に係る発明は特許明細書記載の効果を奏するので、請求項２７に係る発明が、甲第１号証に記載された発明であるとすることはできないし、また、甲第１ないし３号証に記載された発明に基づいて当業者が容易に発明をすることができたものともすることはできない。
　
（１０）請求項２８に係る発明について
　請求項２８に係る発明と甲第１号証に記載された発明を対比すると、
　甲第１号証に記載された発明は、請求項２８に係る発明における「特別役グループに当選していると決定された場合、前記プレイヤーが前記各停止操作部を操作すると、前記検知部によって前記各停止操作部の操作順序を検知し、検知した操作順序が最初から最後の直前までの各停止操作において、所定の範囲に位置する前記共通図柄を前記入賞ライン上に停止させるように前記モータを制御するとともに、検知した操作順序が最後の停止操作において、所定の範囲に位置する前記特別図柄を前記入賞ライン上に停止させるように前記モータを制御するステップ」の構成を備えていない。
　そして、前記構成は甲第２及び３号証には記載されておらず、請求項２８に係る発明は特許明細書記載の効果を奏するので、請求項２８に係る発明が、甲第１号証に記載された発明であるとすることはできないし、また、甲第１ないし３号証に記載された発明に基づいて当業者が容易に発明をすることができたものともすることはできない。
　
（１１）請求項２９に係る発明について
　請求項２９に係る発明と甲第１号証に記載された発明を対比すると、
　甲第１号証に記載された発明は、請求項２９に係る発明における「一の特別役に当選していると決定された場合、前記プレイヤーが前記各停止操作部を操作すると、前記検知部によって前記各停止操作部の操作順序を検知し、検知した操作順序が最初から最後の直前までの停止操作において、所定の範囲に位置する前記共通図柄を前記入賞ライン上に停止させるように前記モータを制御するとともに、検知した操作順序が最後の停止操作において、前記一の特別役を構成する特別図柄が所定の範囲にあれば、当該特別図柄を前記入賞ライン上に停止させるように前記モータを制御するステップ」の構成を備えていない。
　そして、前記構成は甲第２及び３号証には記載されておらず、請求項２９に係る発明は特許明細書記載の効果を奏するので、請求項２９に係る発明が、甲第１号証に記載された発明であるとすることはできないし、また、甲第１ないし３号証に記載された発明に基づいて当業者が容易に発明をすることができたものともすることはできない。
　
（１２）請求項３０に係る発明について
　請求項３０に係る発明と甲第１号証に記載された発明を対比すると、
　甲第１号証に記載された発明は、請求項３０に係る発明における「一の特別役グループに当選していると決定された場合、前記プレイヤーが前記各停止操作部を操作すると、前記検知部によって前記各停止操作部の操作順序を検知し、検知した操作順序が最初から最後の直前までの停止操作において、所定の範囲に位置する前記共通図柄を前記入賞ライン上に停止させるように前記モータを制御するとともに、検知した操作順序が最後の停止操作において、前記一の特別役グループを構成する特別図柄が所定の範囲にあれば、当該特別図柄を前記入賞ライン上に停止させるように前記モータを制御するステップ」の構成を備えていない。
　そして、前記構成は甲第２及び３号証には記載されておらず、請求項３０に係る発明は特許明細書記載の効果を奏するので、請求項３０に係る発明が、甲第１号証に記載された発明であるとすることはできないし、また、甲第１ないし３号証に記載された発明に基づいて当業者が容易に発明をすることができたものともすることはできない。
　
５．むすび
　以上のとおりであるから、特許異議の申立ての理由によっては本件請求項１ないし３０に係る発明についての特許を取り消すことはできない。
　また、他に本件請求項１ないし３０に係る発明についての特許を取り消すべき理由を発見しない。
　よって、結論のとおり決定する。
【異議決定日】
平成１７年６月１０日（２００５．６．１０）